(57)【要約】【課題】無線ベースバンド信号の伝送においてパケットロスが生じた場合であっても伝送効率を下げることなく高品質な伝送を実現することができる無線ベースバンド信号伝送方法を提供する。【解決手段】親局装置１００によって、ディジタル化された無線ベースバンド信号のサンプル値に対してインタリーブの処理を行うことにより、サンプル値を複数のパケットに振り分け、そのパケットを子局装置３００に対して送信する。そして、親局装置１００から送信されたパケットを、子局装置３００に対してレイヤ２ネットワーク２００を介して伝送する。子局装置３００は、受信したパケットに対してデインタリーブの処理を行うことによりサンプル値を復元する。【選択図】図１
2006246143.tif 000002
【特許請求の範囲】
【請求項１】
親局装置と子局装置の間で、ディジタル化された無線ベースバンド信号の通信を行う無線ベースバンド信号伝送方法であって、
前記親局装置（又は子局装置）によって、前記ディジタル化された無線ベースバンド信号のサンプル値に対してインタリーブの処理を行うことにより、前記サンプル値を複数のパケットに振り分ける第１のステップと、
前記親局装置（又は子局装置）によって、前記第１のステップでサンプル値を複数のパケットに振り分けたパケットを前記子局装置（又は親局装置）に対して送信する第２のステップと、
前記第２のステップで前記親局装置（又は子局装置）から送信されたパケットを、前記子局装置（又は親局装置）に対してパケットネットワークを介して伝送する第３のステップと、
前記子局装置（又は親局装置）によって、前記第３のステップで伝送されたパケットを受信する第４のステップと、
前記子局装置（又は親局装置）によって、前記第４のステップで受信したパケットのデインタリーブの処理を行うことにより前記サンプル値を復元する第５のステップと、
を有することを特徴とする無線ベースバンド信号伝送方法。
【請求項２】
前記第３のステップでパケットネットワークを介してパケットを伝送する際にパケットロスが生じた場合、前記第５のステップの後にそのパケットロスが生じたパケットに含まれるサンプル値を、そのパケットロスが生じたパケットの前後のパケットに含まれるサンプル値を利用して補間する第６のステップを更に有することを特徴とする請求項１に記載の無線ベースバンド信号伝送方法。
【請求項３】
前記第６のステップにおいて、前記第２のステップでインタリーブの処理を行ったパケットから構成されるスーパーフレームを単位として、前記パケットロスが生じたパケットに含まれるサンプル値の補間を行うことを特徴とする請求項２に記載の無線ベースバンド信号伝送方法。
【請求項４】
前記無線ベースバンド信号のサンプル値のサンプリング周波数として、前記無線ベースバンド信号の帯域幅の４倍よりも高い周波数を使用することを特徴とする請求項１から３のいずれかの項に記載の無線ベースバンド信号伝送方法。
【発明の詳細な説明】
【技術分野】
【０００１】
本発明は、ディジタル化された無線ベースバンド信号の通信を行うための無線ベースバンド信号伝送方法に関する。
【背景技術】
【０００２】
図６は、現在使用されている第３世代までの移動体通信システムにおける無線アクセスネットワークの概略構成図である。この無線アクセスネットワークでは、上位局２の中に設置されている無線ネットワーク制御装置３は、コアネットワーク１から送信される情報データを受信し、その情報データを無線基地局４ａ、４ｂ、４ｃに対してそれぞれ伝送する。また、無線基地局４ａ、４ｂ、４ｃは、無線ネットワーク制御装置３から受信した情報データを無線信号に変換して移動端末５ａ、５ｂ、５ｃに対してそれぞれ送信する。
【０００３】
一方、移動端末５ａ、５ｂ、５ｃは、無線基地局４ａ、４ｂ、４ｃに無線信号をそれぞれ送信する。無線基地局４ａ、４ｂ、４ｃは、移動端末５ａ、５ｂ、５ｃから受信した無線信号を情報データに変換して無線ネットワーク制御装置３に対して送信する。無線ネットワーク制御装置３は、無線基地局４ａ、４ｂ、４ｃから受信した情報データを、コアネットワーク１を介して、コアネットワーク１に接続される通信装置に対して伝送する。
図６で説明した無線アクセスネットワークでは、無線基地局４ａ、４ｂ、４ｃが移動端末５ａ、５ｂ、５ｃと通信可能なカバーエリア９ａ、９ｂ、９ｃは半径数ｋｍ程度であるため、無線基地局４ａ、４ｂ、４ｃの局舎へのアンテナ６ａ、６ｂ、６ｃの設置が可能となる。この場合、無線基地局４ａ、４ｂ、４ｃとアンテナ６ａ、６ｂ、６ｃは近接して設置されることになる。
【０００４】
しかし、第４世代の移動体通信システムでは、伝送速度が最大１Ｇｂ／ｓ程度と高速になり無線基地局４ａ、４ｂ、４ｃでカバーできるエリアが半径数百ｍ程度になると予測される。よって、無線基地局の設置台数が増加することになり、現状と同じ無線アクセスネットワークを構成すると、無線基地局の設置に要する労力ならびに設備コストが莫大なものとなる。
【０００５】
図７は、従来から提案されているディジタル光ファイバ無線伝送システムの概略構成図である。このディジタル光ファイバ無線伝送システムでは、従来、無線基地局４ａ、４ｂ、４ｃ（図６参照）に設けていた無線変復調機能を、無線ネットワーク制御装置３（図６参照）が置かれていた上位局２に集約化することにより親局装置７としている。また、従来の無線基地局４ａ、４ｂ、４ｃ（図６参照）に相当する装置に、周波数変換機能、アナログ−ディジタル（Ａ／Ｄ：Analog/Digital）変換機能、ディジタル−アナログ（Ｄ／Ａ：Digital/Analog）変換機能のみ設けることにより子局装置８ａ、８ｂとして小型化し、子局装置の設置コストの低減化を図っている（特許文献１、非特許文献１）。
【０００６】
図８は、図７のディジタル光ファイバ無線伝送システムの構成を示すブロック図である。このディジタル光ファイバ無線伝送システムを構成する親局装置１００は、変復調回路１１０、ＭＡＣ（Media Access Control）フレーム処理回路１２０、物理インタフェース１４０を有する。また、子局装置３００は、物理インタフェース３１０、ＭＡＣフレーム処理回路３２０、Ｄ／Ａ変換器３４１、Ａ／Ｄ変換器３４２、アップコンバータ３５１、ダウンコンバータ３５２、電力増幅器３６１、低雑音増幅器３６２、アンテナ３７０を有する。
なお、親局装置１００の物理インタフェース１４０と、子局装置３００の物理インタフェース３１０は、レイヤ２ネットワーク２００で接続されている。
【０００７】
このディジタル光ファイバ無線伝送システムでは、無線ベースバンド信号をディジタル信号としてＭＡＣフレーム上でパケット化し伝送しているため、従来のアナログ伝送による光ファイバ無線方式のように光伝送による歪みや雑音の影響を気にすることなく伝送することができる。
また、レイヤ２のパケットとして伝送することが可能であるため、ビル内のようにレイヤ２のネットワークがすでに構築されている環境では、既存のネットワークを活用して無線アクセスネットワークを低コストかつ迅速に構築することが可能である。
【特許文献１】特開２００４−３１２１５０号公報
【非特許文献１】鈴木、上松、豊田、吉岡、“ディジタル光ファイバ無線方式によるＷ−ＣＤＭＡ信号のパケット伝送”、電子情報通信学会総合大会、Ｂ−５−１５９、２００４年３月
【発明の開示】
【発明が解決しようとする課題】
【０００８】
しかしながら、上述したディジタル光ファイバ無線伝送システムをレイヤ２ネットワークで活用する場合、レイヤ２ネットワークに流れる他のトラフィックとの競合を考慮する必要がある。レイヤ２スイッチで優先制御を行うことによって、トラフィックの競合による無線ベースバンド信号のパケットロスの多くは避けることができるが、他のトラフィックの長大なパケット等によってパケットロスが発生するという問題がある。
また、ディジタル光ファイバ無線伝送システムでは、伝送帯域を効率的に利用するために複数のサンプル値を一つのパケットに多重して伝送している。これにより、パケットロスが発生するとバースト的なサンプル値の欠落という現象が発生し、無線ベースバンド信号に大きな歪みが生じるという問題がある。
【０００９】
従って、何らかの処理を行うことにより、欠落したサンプル値を再生する必要がある。サンプル値単位でパケット化する方法では、連続したサンプル値の欠落を避けることができ、前後のパケットのサンプル値から失われたサンプル値を低歪みで再生できる。しかし、高々数バイト程度のデータに数十バイトのオーバーヘッドを付加する必要があり、伝送効率は著しく低くなりるとともに無線ベースバンド信号のパケットによってネットワークが輻輳状態になる可能性がある。
また、同一のパケットを複数回伝送することによりパケットロスに対する耐性を増す方法もあるが、こちらも伝送効率の大きな低下につながる。
【００１０】
本発明は、上記事情を考慮してなされたもので、その目的は、無線ベースバンド信号の伝送においてパケットロスが生じた場合であっても伝送効率を下げることなく高品質な伝送を実現することができる無線ベースバンド信号伝送方法を提供することにある。
【課題を解決するための手段】
【００１１】
本発明は、上記課題を解決するためになされたもので、請求項１に記載の発明は、親局装置と子局装置の間で、ディジタル化された無線ベースバンド信号の通信を行う無線ベースバンド信号伝送方法であって、前記親局装置（又は子局装置）によって、前記ディジタル化された無線ベースバンド信号のサンプル値に対してインタリーブの処理を行うことにより、前記サンプル値を複数のパケットに振り分ける第１のステップと、前記親局装置（又は子局装置）によって、前記第１のステップでサンプル値を複数のパケットに振り分けたパケットを前記子局装置（又は親局装置）に対して送信する第２のステップと、前記第２のステップで前記親局装置（又は子局装置）から送信されたパケットを、前記子局装置（又は親局装置）に対してパケットネットワークを介して伝送する第３のステップと、前記子局装置（又は親局装置）によって、前記第３のステップで伝送されたパケットを受信する第４のステップと、前記子局装置（又は親局装置）によって、前記第４のステップで受信したパケットのデインタリーブの処理を行うことにより前記サンプル値を復元する第５のステップと、を有することを特徴とする無線ベースバンド信号伝送方法である。
【００１２】
また、請求項２に記載の発明は、前記第３のステップでパケットネットワークを介してパケットを伝送する際にパケットロスが生じた場合、前記第５のステップの後にそのパケットロスが生じたパケットに含まれるサンプル値を、そのパケットロスが生じたパケットの前後のパケットに含まれるサンプル値を利用して補間する第６のステップを更に有することを特徴とする請求項１に記載の無線ベースバンド信号伝送方法である。
【００１３】
また、請求項３に記載の発明は、前記第６のステップにおいて、前記第２のステップでインタリーブの処理を行ったパケットから構成されるスーパーフレームを単位として、前記パケットロスが生じたパケットに含まれるサンプル値の補間を行うことを特徴とする請求項２に記載の無線ベースバンド信号伝送方法である。
【００１４】
また、請求項４に記載の発明は、前記無線ベースバンド信号のサンプル値のサンプリング周波数として、前記無線ベースバンド信号の帯域幅の４倍よりも高い周波数を使用することを特徴とする請求項１から３のいずれかの項に記載の無線ベースバンド信号伝送方法である。
【発明の効果】
【００１５】
本発明では、サンプル値にインターリーブの処理を行うことにより複数のパケットに振り分けて送信し、受信側の装置でそのパケットに対してデインタリーブの処理を行うことによりサンプル値を再生するようにした。また、パケットロスが生じた場合には、前後のパケットを利用して欠落しているサンプル値を補間するようにした。
これにより、パケットロスが生じた場合であっても、伝送効率を劣化させることなく高品質な伝送を実現することができる。
【発明を実施するための最良の形態】
【００１６】
以下、図面を参照し、本発明の実施形態について説明する。
図１は、本発明の実施形態による無線ベースバンド信号伝送システムの構成を示すブロック図である。親局装置１００は、変復調回路１１０、スーパーフレーム処理回路１２０、ＭＡＣフレーム処理回路１３０、物理インタフェース１４０を有する。また、子局装置３００は、物理インタフェース３１０、ＭＡＣフレーム処理回路３２０、スーパーフレーム処理回路３３０、Ｄ／Ａ変換器３４１、アップコンバータ３５１、電力増幅器３６１、低雑音増幅器３６２、ダウンコンバータ３５２、Ａ／Ｄ変換器３４２、アンテナ３７０を有する。
【００１７】
始めに、親局装置１００から子局装置３００に信号を送信する場合の動作について説明する。変復調回路１１０は、上位局から入力される信号に対して、ディジタル的に変調された無線ベースバンド信号に変換し、スーパーフレーム処理回路１２０に出力する。
スーパーフレーム処理回路１２０は、変復調処理回路１１０から出力される信号に対して、インタリーブの処理を行うことにより複数のパケットを生成し、ＭＡＣフレーム処理回路１３０に出力する。
ＭＡＣフレーム処理回路１３０は、スーパーフレーム処理回路１２０から出力される信号に対して、イーサネット（登録商標）のＭＡＣフレームに変換する処理を行い、物理インタフェース１４０に出力する。
物理インタフェース１４０は、ＭＡＣフレーム処理回路１３０から出力される信号をレイヤ２ネットワーク２００を介して送信する。
【００１８】
子局装置３００の物理インタフェース３１０は、親局装置１００から出力される信号を、レイヤ２ネットワーク２００を介して受信し、ＭＡＣフレーム処理回路３２０に出力する。
ＭＡＣフレーム処理回路３２０は、物理インタフェース３１０から出力される信号に対して、パケットに分解する処理を行い、スーパーフレーム処理回路３３０に出力する。
スーパーフレーム処理回路３３０は、ＭＡＣフレーム処理回路３２０から出力される信号に対して、デインタリーブの処理及び補間処理を行うことによりサンプル値を生成し、Ｄ／Ａ変換器３４１に出力する。
Ｄ／Ａ変換器３４１は、スーパーフレーム処理回路３３０から入力されるサンプル値に対して、ディジタル信号からアナログ信号に変換する処理を行い、アップコンバータ３５１に出力する。アップコンバータ３５１は、Ｄ／Ａ変換器３４１から出力される信号を、無線周波数に変換し、電力増幅器３６１に出力する。
電力増幅器３６１は、アップコンバータ３５１から出力される信号を増幅し、アンテナ３７０に出力する。アンテナ３７０は、電力線増幅器３６１から出力される信号を、電波に乗せて移動端末に送信する。
【００１９】
次に、子局装置３００から親局装置１００に信号を送信する場合の動作について説明する。子局装置３００のアンテナ３７０は、移動端末から送信される電波を受信し、低雑音増幅器３６２に出力する。低雑音増幅器３６２は、アンテナ３７０から出力される信号を増幅し、ダウンコンバータ３５２に出力する。
ダウンコンバータ３５２は、低雑音増幅器３６２から出力される信号をベースバンド信号に変換し、Ａ／Ｄ変換器３４２に出力する。Ａ／Ｄ変換器３４２は、ダウンコンバータ３５２から出力されるサンプル値を、アナログ信号からディジタル信号に変換し、スーパーフレーム処理回路３３０に出力する。
スーパーフレーム処理回路３３０は、Ａ／Ｄ変換器３４２から出力される信号に対して、インタリーブの処理を行い、ＭＡＣフレーム処理回路３２０に出力する。ＭＡＣフレーム処理回路３２０は、スーパーフレーム処理回路３３０から出力される信号に対して、イーサネット（登録商標）のＭＡＣフレームに変換し、物理インタフェース３１０に出力する。
物理インタフェース３１０は、ＭＡＣフレーム処理回路３２０から出力される信号を、レイヤ２ネットワーク２００を介して、親局装置１００に送信する。
【００２０】
親局装置１００の物理インタフェース１４０は、子局装置３００の物理インタフェース３１０から送信される信号をレイヤ２ネットワーク２００を介して受信し、ＭＡＣフレーム処理回路１３０に出力する。ＭＡＣフレーム処理回路１３０は、物理インタフェース１４０から出力されるイーサネット（登録商標）のＭＡＣフレームをパケットに分解し、スーパーフレーム処理回路１２０に出力する。
スーパーフレーム処理回路１２０は、ＭＡＣフレーム処理回路１３０から出力される信号に対して、デインタリーブの処理及び補間処理を行うことによりサンプル値を生成し、変復調回路１１０に出力する。変復調回路１１０は、スーパーフレーム処理回路１２０から出力される信号を、データ信号に変換する処理を行い、上位局に送信する。
【００２１】
次に、本実施形態の無線ベースバンド信号伝送システムにおけるインタリーブ及びデインタリーブの処理についてそれぞれ説明する。
図２は、本実施形態のスーパーフレーム処理回路１２０、３３０によるインタリーブの処理について示す図である。親局装置１００のスーパーフレーム処理回路１２０、子局装置３００のスーパーフレーム処理回路３３０には、サンプル値データ列Ｓが入力される。サンプル値データ列Ｓは、連続する合計Ｎ個（Ｎは２以上の整数）のサンプル値ｓ（１）、ｓ（２）、ｓ（３）、・・・、ｓ（Ｎ）から構成されている。
【００２２】
スーパーフレーム処理回路１２０、３３０は、連続する合計Ｎ個のサンプル値ｓ（１）、ｓ（２）、ｓ（３）、・・・、ｓ（Ｎ）に対して、インタリーブの処理を行うことにより、Ｍ個（Ｍは２以上の整数）のパケットにサンプル値ｓ（１）、ｓ（２）、ｓ（３）、・・・、ｓ（Ｎ）をマッピングする。例えば、サンプル値データ列Ｓの１番目のサンプル値ｓ（１）は、（Ｉ  ｍｏｄ  Ｍ）＋１番目のパケットｐ（１）に時系列順にマッピングされる。これにより、パケットｐ（１）、ｐ（２）、・・・、ｐ（Ｍ）間におけるサンプル値ｓ（１）、ｓ（２）、ｓ（３）、・・・、ｓ（Ｎ）のインタリーブの処理を実現することができる。なお、ｍｏｄはＩをＭで割った剰余を表すものとする。
【００２３】
このように構成されたＭ個のパケットｐ（１）、ｐ（２）、・・・、ｐ（Ｍ）に、スーパーフレーム内でのパケット番号と、タイムスタンプやシーケンス番号等のスーパーフレームのオーバーヘッド情報ｈ（１）、ｈ（２）、・・・、ｈ（Ｍ）を付与することにより、ＭＡＣフレームのペイロードとする。
【００２４】
図３は、本実施形態のスーパーフレーム処理回路１２０、３３０によるデインタリーブの処理について示す図である。親局装置１００のスーパーフレーム処理回路１２０、子局装置３００のスーパーフレーム処理回路３３０には、パケット列Ｐが入力される。パケット列Ｐは、連続する合計Ｍ個のパケットｐ（１）、ｐ（２）、・・・、ｐ（Ｍ）から構成されている。
【００２５】
スーパーフレーム処理回路１２０、３３０は、連続する合計Ｍ個のパケットｐ（１）、ｐ（２）、・・・、ｐ（Ｍ）に対して、デインタリーブの処理を行う。デインタリーブの処理としては、始めに、ＭＡＣフレーム処理回路１３０、３２０（図１参照）で抽出されたパケットｐ（１）、ｐ（２）、・・・、ｐ（Ｍ）をスーパーフレーム内でのパケット番号ごとに異なるＭ個のバッファｂ１、ｂ２、・・・、ｂＭにそれぞれ入力する。次に、各バッファｂ１、ｂ２、・・・、ｂＭから順次サンプル値のデータｓ（１）、ｓ（２）、ｓ（３）、・・・、ｓ（Ｎ）を読み出し、元のサンプル値データ列Ｓを再生する。
【００２６】
図４は、本実施形態によるパケットロスが生じた場合の処理を示す図である。ここでは、親局装置１００（又は子局装置３００）から送信したパケットｐ（１）、ｐ（２）、・・・、ｐ（Ｉ）、・・・、ｐ（Ｍ）を子局装置３００（又は親局装置１００）が受信したときに、パケットｐ（Ｉ）にパケットロスが生じている場合について説明する。
親局装置１００のスーパーフレーム処理回路１２０、又は、子局装置３００のスーパーフレーム処理回路３３０は、パケットｐ（１）、ｐ（２）、・・・、ｐ（Ｍ）にデインタリーブの処理を行うことにより、サンプル値データ列Ｓ（ｓ（１）、ｓ（２）、・・・、ｓ（Ｉ−１）、ｓ（Ｉ）、ｓ（Ｉ＋１）、・・・、ｓ（Ｍ）、・・・、ｓ（Ｍ＋Ｉ−１）、ｓ（Ｍ＋Ｉ）、ｓ（Ｍ＋Ｉ＋１）、・・・、ｓ（Ｎ））を生成する。
しかし、パケットｐ（Ｉ）にパケットロスが生じているため、サンプル値データ列Ｓのサンプル値ｓ（Ｉ）、ｓ（Ｍ＋Ｉ）等も欠落することになる。本実施形態では、このパケットロスが生じているサンプル値ｓ（Ｉ）、ｓ（Ｍ＋Ｉ）を、その前後のサンプル値ｓ（Ｉ−１）及びｓ（Ｉ＋１）、ｓ（Ｍ＋Ｉ−１）及びｓ（Ｍ＋Ｉ＋１）を利用して補間処理を行うことにより生成するようにした。
上述のような補間処理を行うことにより、パケットＰの一部にパケットロスが発生した場合であっても、パケットロスが生じたパケットの前後のパケットが正しく受信されていれば、デインタリーブの処理を行うことにより、失われたサンプル値の前後のサンプル値を正しく復元でき、低歪みのサンプル値を再現することができる。
【００２７】
なお、上述した補間処理としては、例えば、前後のサンプル値の繰り返しによる補間、前後のサンプル値の線形補間、ディジタルフィルタによる補間などを用いることができる。特に、サンプリング周波数が無線ベースバンド信号の信号帯域の４倍以上であれば、パケットが１つおきに失われた場合であっても、サンプリング定理から元の無線ベースバンド信号の再生が原理的には可能であるため、単純な補間で十分な効果が期待でき、回路の簡素化、低遅延化が可能である。
【００２８】
また、本実施形態において、スーパーフレームの最初のパケットｐ（１）（図４参照）が欠落した場合には、その後ろのパケットｐ（２）に含まれるサンプル値からデータを復元する。また、最後のパケットｐ（Ｍ）が欠落した場合にはその前のパケットｐ（Ｍ−１）に含まれるサンプル値からデータを復元する。このような処理を行うことにより、パケットロスに対する補間処理を全てスーパーフレーム内で行えるため、不要な遅延を避けることができる。
【００２９】
以上のようにパケット間でサンプル値のインタリーブを行うことによって、オーバーヘッド部分による若干の帯域増加はあるものの、伝送効率に大きな影響を与えることなく、パケットロスに対する耐性を増すことができる。
また、本実施形態ではレイヤ２ネットワーク２００（図１参照）をネットワークとして使用しているが、この他にレイヤ３のＩＰ（Internet Protocol）パケットや、レイヤ４のＵＤＰ（User Datagram Protocol）パケットによるネットワークとしても、本実施形態と同様の効果が得られる。
【００３０】
図５は、本実施形態による無線ベースバンド信号伝送システムを使用した場合のＷＣＤＭＡ（Wideband Code Division Multiple Access）信号の伝送特性を示すグラフである。ここで、インタリーブのパケット数は２とし、親局装置１００、子局装置３００間にレイヤ２スイッチを配置することによりパケットロスを補間している。また、評価尺度としてはＷＣＤＭＡ信号の評価に用いられる誤差ベクトル振幅（ＥＶＭ：Error Vector Magnitude）を用い、ＷＣＤＭＡの多重チャネル数に対するパケットロスの影響も併せて評価している。
【００３１】
図５から分かるように、インタリーブによる補間処理を行わない場合（図５で▲でプロットした点）には、０．０１％のパケットロスの場合でも無線ベースバンド信号に大きな劣化が生じ、データの再生が困難となっている。
一方、インタリーブによる補間処理を行った場合（図５で□、○、▽、◇でプロットした点）には、多重数を増やした場合であっても０．１％のパケットロスに対しては伝送特性に劣化は見られず、３ＧＰＰ（3rd Generation Partnership Project）の規格である１７．５％のＥＶＭを満足している。
なお、３ＧＰＰの技術については、「３ＧＰＰ  ＴＳ  ２５．１０４，“Base Station (BS) radio transmission and reception (FDD) (Release 6)，”２００４年９月」などの文献に記載されているものなどが知られている。
【００３２】
なお、以上説明した実施形態において、図１の親局装置１００のスーパーフレーム処理回路１２０、ＭＡＣフレーム処理回路１３０や、子局装置３００のスーパーフレーム処理回路３３０、ＭＡＣフレーム処理回路３２０などの機能を実現するためのプログラムをコンピュータ読み取り可能な記録媒体に記録して、この記録媒体に記録されたプログラムをコンピュータシステムに読み込ませ、実行することにより親局装置１００、子局装置３００の制御を行ってもよい。なお、ここでいう「コンピュータシステム」とは、ＯＳや周辺機器等のハードウェアを含むものとする。
【００３３】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００３４】
以上、この発明の実施形態について図面を参照して詳述してきたが、具体的な構成はこの実施形態に限られるものではなく、この発明の要旨を逸脱しない範囲の設計等も含まれる。
【産業上の利用可能性】
【００３５】
本発明の実施形態による無線ベースバンド信号伝送システムは、第４世代の移動体通信システムなどに利用することができる。
【図面の簡単な説明】
【００３６】
【図１】本発明の実施形態による無線ベースバンド信号伝送システムの構成を示すブロック図である。
【図２】本実施形態のスーパーフレーム処理回路１２０、３３０によるインタリーブの処理について示す図である。
【図３】本実施形態のスーパーフレーム処理回路１２０、３３０によるデインタリーブの処理について示す図である。
【図４】本実施形態によるパケットロスが生じた場合の処理を示す図である。
【図５】本実施形態による無線ベースバンド信号伝送システムを使用した場合のＷＣＤＭＡ信号の伝送特性を示すグラフである。
【図６】現在使用されている第３世代までの移動体通信システムにおける無線アクセスネットワークの概略構成図である。
【図７】従来から提案されているディジタル光ファイバ無線伝送システムの概略構成図である。
【図８】図７のディジタル光ファイバ無線伝送システムの構成を示すブロック図である。
【符号の説明】
【００３７】
１・・・コアネットワーク、
２・・・上位局、
３・・・無線ネットワーク制御装置、
４ａ、４ｂ、４ｃ・・・無線基地局、
５ａ、５ｂ、５ｃ・・・移動端末、
６ａ、６ｂ、６ｃ・・・アンテナ、
７・・・親局装置、
８ａ、８ｂ・・・子局装置、
１００・・・親局装置、
１１０・・・変復調回路、
１２０・・・スーパーフレーム処理回路、
１３０・・・ＭＡＣフレーム処理回路、
１４０・・・物理インタフェース、
２００・・・レイヤ２ネットワーク、
３００・・・子局装置、
３１０・・・物理インタフェース、
３２０・・・ＭＡＣフレーム処理回路、
３３０・・・スーパーフレーム処理回路、
３４１・・・Ｄ／Ａ変換器、
３４２・・・Ａ／Ｄ変換器、
３５１・・・アップコンバータ、
３５２・・・ダウンコンバータ、
３６１・・・電力増幅器、
３６２・・・低雑音増幅器、
３７０・・・アンテナ
【図１】
2006246143.tif 000003
【図２】
2006246143.tif 000004
【図３】
2006246143.tif 000005
【図４】
2006246143.tif 000006
【図５】
2006246143.tif 000007
【図６】
2006246143.tif 000008
【図７】
2006246143.tif 000009
【図８】
2006246143.tif 000010